(57)【要約】【課題】現場で容易に棚札画像を変更可能にすること。【解決手段】陳列棚に陳列される商品に関する商品情報を含んだ棚札画像を表示可能なディスプレイと、オブジェクトの接触位置を検出可能なタッチパネルとを備える表示装置であって、外部端末が接続されたことを検出し、タッチパネルを非アクティブな状態からアクティブな状態に切り替える第１検出手段と、アクティブな状態のタッチパネルによって検出されるオブジェクトの接触位置に基づいて、ユーザの動作の種別を検出する第２検出手段と、検出されたユーザの動作の種別に応じて、ディスプレイに表示されている棚札画像を編集する編集手段と、編集された棚札画像をディスプレイに表示させる表示処理手段とを備える表示装置。【選択図】  図４
2019109581.tif 000002
【特許請求の範囲】
【請求項１】
陳列棚に陳列される商品に関する商品情報を含んだ棚札画像を表示可能なディスプレイと、オブジェクトの接触位置を検出可能なタッチパネルとを備える表示装置であって、
外部端末が接続されたことを検出し、前記タッチパネルを非アクティブな状態からアクティブな状態に切り替える第１検出手段と、
アクティブな状態のタッチパネルによって検出されるオブジェクトの接触位置に基づいて、ユーザの動作の種別を検出する第２検出手段と、
前記検出されたユーザの動作の種別に応じて、前記ディスプレイに表示されている棚札画像を編集する編集手段と、
前記編集された棚札画像を前記ディスプレイに表示させる表示処理手段と
を具備する表示装置。
【請求項２】
前記編集手段は、
編集後の棚札画像の画像データを、棚札画像の画像データを管理するためのサーバ装置に送信する、請求項１に記載の表示装置。
【請求項３】
前記編集手段は、
前記検出されたユーザの動作の種別がタップである場合、タップされた位置にて第１商品情報を含んで表示されている棚札画像の第１部分と、前記第１部分に隣接し、前記第１商品情報とは異なる第２商品情報を含んで表示されている棚札画像の第２部分とを入れ替える、請求項１または請求項２に記載の表示装置。
【請求項４】
前記編集手段は、
前記検出されたユーザの動作の種別がドラッグである場合、移動前のオブジェクトの接触位置にて第１商品情報を含んで表示されている棚札画像の第１部分と、移動後のオブジェクトの接触位置にて前記第１商品情報とは異なる第２商品情報を含んで表示されている棚札画像の第２部分とを入れ替える、請求項１乃至請求項３のいずれか１項に記載の表示装置。
【請求項５】
前記編集手段は、
前記検出されたユーザの動作の種別がピンチアウトである場合、前記オブジェクトの接触位置近辺にて第１商品情報を含んで表示されている棚札画像の第１部分を拡大する、請求項１乃至請求項４のいずれか１項に記載の表示装置。
【請求項６】
前記編集手段は、
前記検出されたユーザの動作の種別がピンチインである場合、前記オブジェクトの接触位置近辺にて第１商品情報を含んで表示されている棚札画像の第１部分を縮小する、請求項１乃至請求項５のいずれか１項に記載の表示装置。
【請求項７】
前記編集手段は、
前記検出されたユーザの動作の種別がピンチアウトである場合、前記オブジェクトの接触位置近辺にて第１商品情報を含んで表示されている棚札画像の第１部分に第１コメントを挿入し、前記検出されたユーザの動作の種別がピンチインである場合、前記棚札画像の第１部分に第１コメントとは異なる第２コメントを挿入する、請求項１乃至請求項４のいずれか１項に記載の表示装置。
【請求項８】
陳列棚に陳列される商品に関する商品情報を含んだ棚札画像を表示する表示装置と、
前記表示装置とは別に操作される端末であり、画像を表示可能なディスプレイと、オブジェクトの接触位置を検出可能なタッチパネルと、他の装置と通信可能に接続するための通信部とを有するユーザ端末と、
前記表示装置に表示されている棚札画像の画像データを記憶する記憶部を有するサーバ装置と
を備える電子棚札システムであって、
前記ユーザ端末は、
前記表示装置に表示されている棚札画像を示す画像データを取得する取得手段と、
前記取得された画像データにより示される棚札画像を前記ディスプレイに表示させた状態で前記タッチパネルによって検出されるオブジェクトの接触位置を示す位置情報を前記サーバ装置に送信する第１送信手段と
を具備し、
前記サーバ装置は、
前記ユーザ端末から送信されてくる前記位置情報を受信する受信手段と、
前記受信された位置情報に基づき、前記ユーザ端末上でのユーザの動作の種別を検出する検出手段と、
前記検出されたユーザの動作の種別に応じて、前記記憶部に記憶されている画像データにより示される棚札画像を編集する編集手段と、
前記編集後の棚札画像の画像データを、前記ユーザ端末を介して前記表示装置に送信する第２送信手段と
を具備する、電子棚札システム。
【請求項９】
陳列棚に陳列される商品に関する商品情報を含んだ棚札画像を表示する表示装置と、
前記表示装置とは別に操作される端末であり、画像を表示可能なディスプレイと、オブジェクトの接触位置を検出可能なタッチパネルと、前記表示装置と通信可能に接続するための通信部とを有するユーザ端末と
を備える電子棚札システムであって、
前記ユーザ端末は、
前記表示装置に表示されている棚札画像を示す画像データを取得する取得手段と、
前記取得された画像データにより示される棚札画像を前記ディスプレイに表示させた状態で前記タッチパネルによって検出されるオブジェクトの接触位置を示す位置情報に基づき、ユーザの動作の種別を検出する検出手段と、
前記検出されたユーザの動作の種別に応じて、前記取得された画像データにより示される棚札画像を編集する編集手段と、
前記編集後の棚札画像の画像データを、前記表示装置に送信する送信手段と
を具備する、電子棚札システム。
【発明の詳細な説明】
【技術分野】
【０００１】
本発明の実施形態は、表示装置及び電子棚札システムに関する。
【背景技術】
【０００２】
一般的に、スーパーマーケットや小売店等の店舗には商品を陳列する陳列棚が設置されている。この陳列棚には、複数の商品が陳列されると共に、各商品に対応した紙製の値札やポップが貼り付けられる。しかしながら、紙製の値札やポップの場合、商品の入れ替え時や、商品の値段が変動した時に、従業員が、各商品に対応した値札やポップを手作業で陳列棚に貼り直す必要があり、従業員に負担がかかるという不都合がある。
【０００３】
このため、近年では、紙製の値札やポップの代わりに、商品に関する商品情報を含んだ棚札画像を表示可能な電子棚札（ESL: Electronic Shelf Label）が陳列棚に取り付けられ、ペーパレス化が進められている。これによれば、従業員にかかる負担を低減することが可能となる。
【先行技術文献】
【特許文献】
【０００４】
【特許文献１】特開２００８−２３１０８号公報
【発明の概要】
【発明が解決しようとする課題】
【０００５】
しかしながら、電子棚札に表示される棚札画像は、一般的に、現場からは離れて位置するサーバ装置等で生成されるので、現場で一部の商品の位置を入れ替えたい等の要望があったとしても、新たな棚札画像をサーバ装置で生成する必要があり、現場で容易に棚札画像を変更することができないという不都合がある。
【０００６】
本実施形態の目的は、現場で容易に棚札画像を変更可能な表示装置及び電子棚札システムを提供することである。
【課題を解決するための手段】
【０００７】
一実施形態によれば、  
陳列棚に陳列される商品に関する商品情報を含んだ棚札画像を表示可能なディスプレイと、オブジェクトの接触位置を検出可能なタッチパネルとを備える表示装置であって、外部端末が接続されたことを検出し、前記タッチパネルを非アクティブな状態からアクティブな状態に切り替える第１検出手段と、アクティブな状態のタッチパネルによって検出されるオブジェクトの接触位置に基づいて、ユーザの動作の種別を検出する第２検出手段と、前記検出されたユーザの動作の種別に応じて、前記ディスプレイに表示されている棚札画像を編集する編集手段と、前記編集された棚札画像を前記ディスプレイに表示させる表示処理手段とを具備する表示装置が提供される。
【０００８】
一実施形態によれば、  
陳列棚に陳列される商品に関する商品情報を含んだ棚札画像を表示する表示装置と、前記表示装置の近辺で操作される端末であり、画像を表示可能なディスプレイと、オブジェクトの接触位置を検出可能なタッチパネルと、他の装置と通信可能に接続するための通信部とを有するユーザ端末と、前記表示装置に表示されている棚札画像の画像データを記憶する記憶部を有するサーバ装置とを備える電子棚札システムであって、前記ユーザ端末は、前記表示装置に表示されている棚札画像を示す画像データを取得する取得手段と、前記取得された画像データにより示される棚札画像を前記ディスプレイに表示させた状態で前記タッチパネルによって検出されるオブジェクトの接触位置を示す位置情報を前記サーバ装置に送信する第１送信手段とを具備し、前記サーバ装置は、前記ユーザ端末から送信されてくる前記位置情報を受信する受信手段と、前記受信された位置情報に基づき、前記ユーザ端末上でのユーザの動作の種別を検出する検出手段と、前記検出されたユーザの動作の種別に応じて、前記記憶部に記憶されている画像データにより示される棚札画像を編集する編集手段と、前記編集後の棚札画像の画像データを、前記ユーザ端末を介して前記表示装置に送信する第２送信手段とを具備する、電子棚札システムが提供される。
【図面の簡単な説明】
【０００９】
【図１】図１は、一実施形態に係る電子棚札システムの構成例を示すブロック図である。
【図２】図２は、棚札画像を表示している表示装置の外観の一例を示す図である。
【図３】図３は、表示装置のハードウェア構成の一例を示すブロック図である。
【図４】図４は、表示装置の主となる機能構成の一例を示すブロック図である。
【図５】図５は、タッチパネルのタッチ検出機能を説明するための図である。
【図６】図６は、表示装置によって実行される処理の手順例を示すフローチャートである。
【図７】図７は、図６に示す処理の一部をより詳しく説明するためのフローチャートである。
【図８】図８は、タップに対応した画像編集処理の具体例を示す図である。
【図９】図９は、ドラッグに対応した画像編集処理の具体例を示す図である。
【図１０】図１０は、ピンチアウトに対応した画像編集処理の具体例を示す図である。
【図１１】図１１は、ピンチインに対応した画像編集処理の具体例を示す図である。
【図１２】図１２は、ピンチアウトに対応した別の画像編集処理の具体例を示す図である。
【図１３】図１３は、ピンチインに対応した別の画像編集処理の具体例を示す図である。
【図１４】図１４は、ドラッグに対応した別の画像編集処理の具体例を示す図である。
【図１５】図１５は、図１とは異なる電子棚札システムの構成例を示すブロック図である。
【図１６】図１６は、図１５に示す電子棚札システムによって実現される処理の手順例を示すフローチャートである。
【発明を実施するための形態】
【００１０】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、本明細書と各図において、既出の図に関して前述したものと同一又は類似した機能を発揮する構成要素には同一の参照符号を付し、重複する詳細な説明を適宜省略することがある。
【００１１】
図１は、実施形態に係る電子棚札システムの構成例を示すブロック図である。図１に示す電子棚札システムは、スーパーマーケットや小売店等の店舗で用いられるシステムであり、表示装置１０と、携帯端末２０と、通信端末３０と、サーバ装置４０とにより構成される。なお、図１では、便宜的に、表示装置１０を１つしか図示していないが、実際には、電子棚札システムには複数の表示装置１０が含まれる。
【００１２】
表示装置１０は、いわゆる電子棚札（ESL: Electronic Shelf Label）であり、複数の商品を陳列する陳列棚に取り付けられる。なお、ここでは、陳列棚１列につき１つの横長の表示装置が取り付けられる場合を想定して説明するが、これに限定されず、陳列棚１列につき複数の表示装置が取り付けられるとしても良い。つまり、陳列棚１列に陳列される複数の商品のうち、所定数の商品につき１つの表示装置が取り付けられるとしても良い。
【００１３】
表示装置１０は、陳列棚に陳列される商品に関する情報（以下、「商品情報」と表記する）を表した棚札画像を表示する。商品情報は、商品名と当該商品名により示される商品の値段とを少なくとも示す情報である。なお、商品情報は、商品名と値段の他に、商品に関するコメント（例えば、「特売」や「店長のオススメ」、「売り切れ」等）をさらに示すとしても良い。
【００１４】
ここで、図２を参照して、棚札画像を表示している表示装置１０の外観の一例を示す。図２に示す表示装置１０は、商品を陳列する陳列棚ＤＳの前縁に取り付けられている。図２の場合、表示装置１０には、４つの商品情報Ｄ１〜Ｄ４を含む１つの棚札画像Ｐが表示されている。棚札画像Ｐに含まれる商品情報Ｄ１によれば、商品情報Ｄ１に対応した商品ａの商品名が「Ａ」であり、その値段が「１００円」であることが示される。なお、その他の商品情報Ｄ２〜Ｄ４についても同様であるため、ここではこれらの詳しい説明は省略する。
【００１５】
なお、図２では、１つの表示装置１０に４つの棚札画像が表示されているが、これに限定されず、時分割で１つの商品情報についての棚札画像を表示する構成を採用することもできる。
【００１６】
再度、図１の説明に戻る。携帯端末２０は、店舗の従業員（スタッフ、ユーザ）が所持する端末（ユーザ端末）であり、表示装置１０のタッチ検出機能をアクティブにするために、表示装置１０に接続される。なお、本実施形態では、携帯端末２０が、表示装置１０に電力を供給可能な充電端末であり、表示装置１０に設けられるコネクタを介して有線にて接続される場合を想定するが、これに限定されず、例えば、携帯端末２０は、表示装置１０のタッチ検出機能をアクティブにするための指示信号を表示装置１０に送信可能な端末であり、表示装置１０と無線にて接続される端末であっても良い。
【００１７】
なお、一般的に、冷蔵品や冷凍品を陳列する陳列棚でない限り、陳列棚には電力は不要であるので、陳列棚に取り付けられる表示装置１０に安定して電力を供給することは難しいという不都合がある。このため、表示装置１０においては、多大に電力を消費するような複雑な処理を実行しないのが一般的である。しかしながら、携帯端末２０が上記したように充電端末であることにより、表示装置１０に安定して電力を供給することが可能となる。これによれば、後述する画像編集処理を安定して実行することができるようになる。
【００１８】
通信端末３０は、表示装置１０が取り付けられる陳列棚の上等、表示装置１０の近辺に設けられ、表示装置１０とサーバ装置４０とを通信可能に接続する中継器（ルータ）である。
【００１９】
サーバ装置４０は、店舗の事務室や、店舗に関する情報を集積する情報管理施設等に設けられる。あるいは、サーバ装置４０は、クラウドコンピューティングサービスを実行するサーバ装置であっても良い。図１には図示しないが、サーバ装置４０は、商品情報を記憶する第１記憶装置と、第１記憶装置に記憶された商品情報に基づいて棚札画像（例えば初期画像）を生成する棚札画像生成部と、表示装置１０との通信を可能にする通信部と、表示装置１０に現在表示されている棚札画像を示す画像データを記憶する第２記憶装置とを備えている。
【００２０】
図３は、表示装置１０のハードウェア構成の一例を示す図である。表示装置１０は、図３に示すように、不揮発性メモリ１２、ＣＰＵ１３、メインメモリ１４、通信部１５、表示部１６、電源１７及びコネクタ１８がバス１１を介して接続されている。なお、コネクタ１８は、表示装置１０と携帯端末２０とが有線にて接続されない場合は、表示装置１０の構成から省略されても良い。また、不揮発性メモリ１２及びメインメモリ１４は、表示装置１０の記憶装置を構成する。
【００２１】
不揮発性メモリ１２は、例えばオペレーティングシステム（ＯＳ）及び棚札画像を更新するためのプログラム（詳細については後述する。以下ではこのプログラムを「画像更新プログラム」と表記する）を含む各種プログラムを格納する。
【００２２】
ＣＰＵ１３は、例えば不揮発性メモリ１２に格納されている各種プログラムを実行するプロセッサである。なお、ＣＰＵ１３は、表示装置１０全体の動作の制御を実行する。  
メインメモリ１４は、例えばＣＰＵ１３が各種プログラムを実行する際に必要とされるワークエリア等として使用される。図３においては、不揮発性メモリ１２及びメインメモリ１４のみが示されているが、表示装置１０は、ＨＤＤ（Hard Disk Drive）及びＳＳＤ（Solid State Drive）等の他の記憶装置を備えていても良い。
【００２３】
通信部１５は、通信端末３０を介したサーバ装置４０との通信を制御する機能を有している。なお、通信部１５によれば、例えば無線ＬＡＮ及びＷｉＦｉ（登録商標）等の無線通信機能を実現させることができる。
【００２４】
表示部１６は、パネルディスプレイ１６Ａと、パネルディスプレイ１６Ａの画面上のオブジェクト（例えば指）の接触位置を検出するように構成されたタッチパネル１６Ｂ（換言すると、タッチ検出機能を実現可能なセンサ）とを備えている。タッチパネル１６Ｂは、パネルディスプレイ１６Ａの上に一体的に形成される。パネルディスプレイ１６Ａは、例えば、電気泳動素子等を有する電子ペーパ型のディスプレイである。また、タッチパネル１６Ｂは、例えば、投影型静電容量方式（自己容量方式、相互容量方式）、表面型静電容量方式、抵抗膜方式、超音波表面弾性波方式、光学方式等、のうちのいずれかの方式を利用したタッチパネルである。
【００２５】
電源１７は、表示装置１０の各部に電力を供給する。コネクタ１８は、携帯端末２０と有線接続するための端子部（プラグ）である。ＣＰＵ１３は、コネクタ１８に携帯端末２０が接続されたことを検出すると、表示部１６を構成するタッチパネル１６Ｂのタッチ検出機能をアクティブにする。これによれば、画面上で指が接触している接触位置を検出することが可能となる。
【００２６】
次に、図４を参照して、上記した画像更新プログラムがＣＰＵ１３によって実行されることで実現する表示装置１０の主となる機能構成について説明する。図４は、表示装置１０の主となる機能構成の一例を示すブロック図である。図４に示すように、表示装置１０は、端末接続検出部１０１、ジェスチャ検出部１０２、画像編集処理部１０３及び表示処理部１０４等を備えている。
【００２７】
端末接続検出部１０１は、表示装置１０に携帯端末２０が接続されたことを検出する。例えば、端末接続検出部１０１は、表示装置１０のコネクタ１８に携帯端末２０が有線接続された場合に発生する接続信号に基づいて、表示装置１０に携帯端末２０が接続されたことを検出する。あるいは、端末接続検出部１０１は、携帯端末２０から無線にて送信されてくる指示信号に基づいて、表示装置１０に携帯端末２０が接続されたことを検出する。なお、端末接続検出部１０１は、上記した接続信号や指示信号に基づいて、表示装置１０から携帯端末２０が外されたことも検出する。
【００２８】
端末接続検出部１０１は、表示装置１０に携帯端末２０が接続されたことを検出すると、表示部１６を構成するタッチパネル１６Ｂのタッチ検出機能をアクティブにする（アクティブな状態に切り替える）。一方で、端末接続検出部１０１は、表示装置１０から携帯端末２０が外されたことを検出すると、タッチパネル１６Ｂのタッチ検出機能を非アクティブにする（非アクティブな状態に切り替える）。
【００２９】
このように、表示装置１０に携帯端末２０が接続されているときにだけ、タッチパネル１６Ｂのタッチ検出機能をアクティブにすることにより、従業員以外の人物（例えば子供等）によるタッチパネル１６Ｂの操作を防止することができる。
【００３０】
タッチパネル１６Ｂは、タッチ検出機能がアクティブの場合、「タッチ（接触）」、「移動（スライド）」及び「リリース」等のタッチ操作に関するイベントの発生を検出するように構成されている。
【００３１】
「タッチ」は、画面上にオブジェクト（指）が接触したことを示すイベントである。「移動」は、画面上に指が接触している間に、当該指が接触している接触位置が移動したことを示すイベントである。「リリース」は、画面から指が離されたことを示すイベントである。
【００３２】
なお、タッチパネル１６Ｂは、図５に示すように、グリッド線ＧＡ，ＧＢ１〜ＧＢｎ−１によって区画された領域単位でタッチ検出機能がアクティブにされ、上記したイベントには、指が接触している接触位置を示す情報として、どの領域であるかを識別可能なグリッド情報が含まれる。図５では、タッチパネル１６Ｂが、領域Ｇ１１〜Ｇ２ｎ、つまり、（２×ｎ）個の領域に分割された場合を想定している。１つの領域の横方向の長さは、例えば５ｍｍ〜１ｃｍである。また、１つの領域の縦方向の長さは、例えばタッチパネル１６Ｂの縦方向の長さを２分割した長さである。なお、本実施形態ではグリッド線ＧＡ，ＧＢ１〜ＧＢｎ−１は不可視であるが、通常視認する以上に近接して視認すると視認できる程度の細さを有する線で示される構成でも構わない。また、上記の領域ごとにタッチ機能をアクティブにする構成としては、領域ごとにタッチに係る電極を設ける構成や、時分割で領域ごとにタッチ信号を供給する構成を採用可能である。
【００３３】
このように、タッチパネル１６Ｂのタッチ検出機能を上記した領域単位でアクティブにすることにより、上記した各イベントの発生をある程度の広さをもって、つまり、細かく検出する必要がないため、省電力化を実現させることができる。
【００３４】
ジェスチャ検出部１０２は、アクティブなタッチパネル１６Ｂによって検出される「タッチ」、「移動」及び「リリース」のイベントを受信し、受信したこれらイベントに基づき、従業員のジェスチャ（動作の種別）を検出する。
【００３５】
画像編集処理部１０３は、表示部１６に表示されている棚札画像に対して、ジェスチャ検出部１０２により検出された従業員のジェスチャに応じた画像編集処理を実行する。なお、編集後の棚札画像を示す画像データは、画像編集処理部１０３により通信部１５に出力され、通信部１５により通信端末３０を介してサーバ装置４０に送信（転送）される。これによれば、サーバ装置４０内の第２記憶装置に記憶された画像データは、編集後の画像データに書き換えられ、電子棚札システムは更新される。
【００３６】
表示処理部１０４は、棚札画像の画像データを、表示部１６を構成するパネルディスプレイ１６Ａに出力し、棚札画像を表示させる。
【００３７】
ここで、図６のフローチャートを参照して、表示装置１０に携帯端末２０が接続された場合に、表示装置１０の主となる機能構成によって実現される処理の手順の一例について説明する。  
まず、端末接続検出部１０１は、表示装置１０に携帯端末２０が接続されたことを検出すると（ステップＳ１）、表示部１６を構成するタッチパネル１６Ｂのタッチ検出機能を非アクティブな状態からアクティブな状態に切り替える（ステップＳ２）。
【００３８】
次に、ジェスチャ検出部１０２は、タッチパネル１６Ｂによって検出される各イベントの発生に基づき、従業員のジェスチャを検出（特定）する。画像編集処理部１０３は、ジェスチャ検出部１０２によって検出されたジェスチャに応じて棚札画像を編集する画像編集処理を実行する（ステップＳ３）。
【００３９】
続いて、画像編集処理部１０３は、ステップＳ３の処理において編集された棚札画像の画像データを通信部１５に出力する。これにより、編集後の棚札画像の画像データは、通信部１５により通信端末３０を介してサーバ装置４０に送信され、電子棚札システムは更新される（ステップＳ４）。
【００４０】
しかる後、表示処理部１０４は、ステップＳ３の処理において編集された棚札画像の画像データを表示部１６に出力し、編集後の棚札画像をパネルディスプレイ１６Ａに表示させ（ステップＳ５）、ここでの処理を終了させる。  
なお、端末接続検出部１０１は、携帯端末２０が表示装置１０から外されたことを検出すると、タッチパネル１６Ｂのタッチ検出機能をアクティブな状態から非アクティブな状態に切り替える。
【００４１】
次に、図７のフローチャートを参照して、図６に示したステップＳ３の詳細な処理手順について説明する。  
まず、ジェスチャ検出部１０２は、「移動」のイベントを受信したか否かを判定する（ステップＳ１１）。
【００４２】
ステップＳ１１の処理において、「移動」のイベントを受信していない、つまり、「タッチ」及び「リリース」のイベントだけを受信したと判定された場合（ステップＳ１１のＮＯ）、ジェスチャ検出部１０２は、受信した「タッチ」のイベントに含まれるグリッド情報（位置情報）によって示される領域（接触位置）で「タップ」というジェスチャが行われたことを検出する（ステップＳ１２）。
【００４３】
なお、「タップ」とは、画面上の１点に指が接触し、その指が移動することなくリリースされること、つまり、画面上の１点を押下することを示すジェスチャである。なお、本実施形態における「タップ」とは、画面上の１点を連続して２回押下する「ダブルタップ」も含むものとする。
【００４４】
続いて、画像編集処理部１０３は、ジェスチャ検出部１０２によって検出されたジェスチャ「タップ」に対応した画像編集処理を実行する（ステップＳ１３）。  
具体的には、画像編集処理部１０３は、「タッチ」のイベントに含まれるグリッド情報によって示される領域に所定の商品情報を含んで表示されている画像部分（第１部分）と、別の商品情報を含んで隣接して表示されている画像部分（第２部分）とを入れ替える処理を実行する。つまり、画像編集処理部１０３は、指が接触した位置に表示されている画像部分と、当該画像部分に隣接して表示されている画像部分とを入れ替える処理を実行する。
【００４５】
この様子を図８に示す。図８は、ジェスチャ「タップ」に対応した画像編集処理の具体例を示す図である。画像編集処理部１０３は、図８に示すように、指が接触した位置にて商品情報Ｄ１を含んで表示されている画像部分Ｐ１と、商品情報Ｄ２を含んで隣接して表示されている画像部分Ｐ２とを入れ替える処理を実行する。これによれば、図８に示すように、画像部分Ｐ１が表示されていた位置には、商品情報Ｄ２を含んだ画像部分Ｐ２が表示され、画像部分Ｐ２が表示されていた位置には、商品情報Ｄ１を含んだ画像部分Ｐ１が表示される。
【００４６】
これによれば、商品情報Ｄ１により示される商品名Ａの商品（商品ａ）と、商品情報Ｄ２により示される商品名Ｂの商品（商品ｂ）との位置を入れ替えた際に、従業員は、商品情報Ｄ１を含んで表示されている画像部分Ｐ１を「タップ」するだけで、商品ａと商品ｂとの入れ替えに対応することが可能となる。
【００４７】
なお、図８では、「タップ」された位置に表示されている画像部分Ｐ１と、「タップ」された位置から見て右方向に隣接して表示されている画像部分Ｐ２とを入れ替える場合を例示したが、これに限定されず、「タップ」された位置に表示されている画像部分を、左右どちらの方向に隣接して表示されている画像部分と入れ替えるかは、任意に設定可能である。
【００４８】
再度、図７の説明に戻る。上記したステップＳ１１の処理において、「移動」のイベントを受信した、つまり、「タッチ」、「移動」及び「リリース」の各イベントを受信したと判定された場合（ステップＳ１１のＹＥＳ）、ジェスチャ検出部１０２は、「タッチ」及び「移動」のイベントに各々含まれるグリッド情報は１つであるか、それとも２つであるかを判定する（ステップＳ１４）。
【００４９】
ステップＳ１４の処理において、「タッチ」及び「移動」のイベントに各々含まれるグリッド情報が１つであると判定された場合（ステップＳ１４の「１つ」）、ジェスチャ検出部１０２は、「タッチ」のイベントに含まれるグリッド情報によって示される領域から、「移動」のイベントに含まれるグリッド情報によって示される領域まで指を移動させる「ドラッグ（＆ドロップ）」というジェスチャが行われたことを検出する（ステップＳ１５）。
【００５０】
次に、画像編集処理部１０３は、ジェスチャ検出部１０２によって検出されたジェスチャ「ドラッグ」に対応した画像編集処理を実行する（ステップＳ１６）。  
具体的には、画像編集処理部１０３は、「タッチ」のイベントに含まれるグリッド情報によって示される領域に所定の商品情報を含んで表示されている画像部分（第１部分）と、「移動」のイベントに含まれるグリッド情報によって示される領域にて別の商品情報を含んで表示されている画像部分（第２部分）とを入れ替える処理を実行する。つまり、画像編集処理部１０３は、指が接触した位置に表示されている画像部分と、指が離された位置に表示されている画像部分とを入れ替える処理を実行する。
【００５１】
この様子を図９に示す。図９は、ジェスチャ「ドラッグ」に対応した画像編集処理の具体例を示す図である。画像編集処理部１０３は、図９に示すように、指が接触した位置にて商品情報Ｄ１を含んで表示されている画像部分Ｐ１と、指を移動させた後に指が離された位置にて商品情報Ｄ３を含んで表示されている画像部分Ｐ３とを入れ替える処理を実行する。つまり、図９に示すように、画像部分Ｐ１が表示されていた位置には、商品情報Ｄ３を含んだ画像部分Ｐ３が表示され、画像部分Ｐ３が表示されていた位置には、商品情報Ｄ１を含んだ画像部分Ｐ１が表示される。
【００５２】
これによれば、商品情報Ｄ１により示される商品名Ａの商品（商品ａ）と、商品情報Ｄ３により示される商品名Ｃの商品（商品ｃ）との位置を入れ替えた際に、従業員は、商品情報Ｄ１を含んで表示されている画像部分Ｐ１を「ドラッグ」し、これを商品情報Ｄ３を含んだ画像部分Ｐ３の表示位置に「ドロップ」するだけで、商品ａと商品ｃとの入れ替えに対応することが可能となる。
【００５３】
再度、図７の説明に戻る。上記したステップＳ１４の処理において、「タッチ」及び「移動」のイベントに各々含まれるグリッド情報が２つであると判定された場合（ステップＳ１４の「２つ」）、ジェスチャ検出部１０２は、「タッチ」のイベントに含まれる２つのグリッド情報によって示される２つの領域の位置と、「移動」のイベントに含まれる２つのグリッド情報によって示される２つの領域の位置とを比較し、２つの領域の位置は移動前よりも移動後の方が離れているのか、それとも近づいているのかを判定する（ステップＳ１７）。
【００５４】
ステップＳ１７の処理において、２つの領域の位置は移動前よりも移動後の方が離れていると判定された場合（ステップＳ１７の「離れた」）、ジェスチャ検出部１０２は、「ピンチアウト」というジェスチャが行われたことを検出する（ステップＳ１８）。
【００５５】
続いて、画像編集処理部１０３は、ジェスチャ検出部１０２によって検出されたジェスチャ「ピンチアウト」に対応した画像編集処理を実行する（ステップＳ１９）。  
具体的には、画像編集処理部１０３は、「タッチ」のイベントに含まれる２つのグリッド情報によって示される２つの領域付近（例えば２つの領域間）にて所定の商品情報を含んで表示されている画像部分を、元の大きさより拡大する処理を実行する。
【００５６】
この様子を図１０に示す。図１０は、ジェスチャ「ピンチアウト」に対応した画像編集処理の具体例を示す図である。画像編集処理部１０３は、図１０に示すように、２本の指が接触した位置付近にて商品情報Ｄ２を含んで表示されている画像部分Ｐ２を、２本の指が離れた距離に応じて拡大する処理を実行する。詳しくは、画像編集処理部１０３は、２本の指のうちの少なくとも一方の指が、少なくとも上下２段の一方の段の領域から他方の段の領域に跨って離れるように移動した場合、画像部分Ｐ２を拡大する処理を実行する。つまり、図１０に示すように、商品情報Ｄ２を含んだ画像部分Ｐ２は、他の画像部分に比べて大きく強調表示される。
【００５７】
これによれば、例えば、商品情報Ｄ２により示される商品名Ｂの商品（商品ｂ）を特売品として強調表示したいときに、従業員は、商品情報Ｄ２を含んで表示されている画像部分Ｐ２を「ピンチアウト」するだけでこれに対応することが可能となる。
【００５８】
再度、図７の説明に戻る。上記したステップＳ１７の処理において、２つの領域の位置は移動前よりも移動後の方が近づいていると判定された場合（ステップＳ１７の「近づいた」）、ジェスチャ検出部１０２は、「ピンチイン」というジェスチャが行われたことを検出する（ステップＳ２０）。
【００５９】
次に、画像編集処理部１０３は、ジェスチャ検出部１０２によって検出されたジェスチャ「ピンチイン」に対応した画像編集処理を実行する（ステップＳ２１）。  
具体的には、画像編集処理部１０３は、「タッチ」のイベントに含まれる２つのグリッド情報によって示される２つの領域付近（例えば２つの領域間）にて所定の商品情報を含んで表示されている画像部分を、元の大きさより縮小する処理を実行する。
【００６０】
この様子を図１１に示す。図１１は、ジェスチャ「ピンチイン」に対応した画像編集処理の具体例を示す図である。画像編集処理部１０３は、図１１に示すように、２本の指が接触した位置付近にて商品情報Ｄ２を含んで表示されている画像部分Ｐ２を、２本の指が近づいた距離に応じて縮小する処理を実行する。詳しくは、画像編集処理部１０３は、２本の指のうちの少なくとも一方の指が、少なくとも上下２段の一方の段の領域から他方の段の領域に跨って近づくように移動した場合、画像部分Ｐ２を縮小する処理を実行する。つまり、図１１に示すように、商品情報Ｄ２を含んだ画像部分Ｐ２は、他の画像部分に比べて小さく控えめに表示される。換言すると、商品情報Ｄ２を含んだ画像部分Ｐ２以外の画像部分は、当該画像部分Ｐ２に比べて強調表示される。
【００６１】
これによれば、例えば、商品情報Ｄ２により示される商品名Ｂの商品（商品ｂ）以外の商品を特売品として強調表示したいときに、従業員は、商品ｂ以外の商品に関する商品情報を各々含んで表示されている各画像部分を「ピンチアウト」にて各々拡大するのではなく、商品情報Ｄ２を含んで表示されている画像部分Ｐ２を「ピンチイン」するだけで、これに対応することが可能となる。
【００６２】
なお、図１０では、ジェスチャ「ピンチアウト」に対応した画像編集処理として、２本の指が接触した位置付近にて所定の商品情報を含んで表示されている画像部分を元の大きさより拡大する場合を例示したが、「ピンチアウト」に対応した画像編集処理はこれに限定されず、例えば図１２に示すように、２本の指が接触した位置付近にて表示されている画像部分に含まれる商品情報の商品を推薦する旨のコメント、具体的には、「特売」といった文字をさらに表示させる（挿入する）としても良い。図１２では、「ピンチアウト」が行われたことで、ディスプレイの上段に「特売」の文字が表示され、ディスプレイの下段に「商品名」と「値段」とが表示される場合を例示している。
【００６３】
また、図１１では、ジェスチャ「ピンチイン」に対応した画像編集処理として、２本の指が接触した位置付近にて所定の商品情報を含んで表示されている画像部分を元の大きさより縮小する場合を例示したが、「ピンチイン」に対応した画像編集処理はこれに限定されず、例えば図１３に示すように、２本の指が接触した位置付近にて表示されている画像部分に含まれる商品情報の商品が売り切れである旨のコメント、つまり、「売り切れ」といった文字を、当該商品情報に代えて表示させる（挿入する）としても良い。なお、図１３では、「売り切れ」の文字だけが表示される場合を例示したが、図１２のように、ディスプレイの上段に「売り切れ」の文字が表示され、ディスプレイの下段に「商品名」と「値段」とが表示されても良い。
【００６４】
なお、本実施形態では、棚札画像に含まれる商品情報を含んだ画像部分を画像編集処理により編集（変更）する場合について説明したが、図１４に示すように、棚札画像に含まれる仕切り線に対する従業員のジェスチャを検出することで、商品情報を含んだ画像部分が表示される領域（表示位置）を変更するとしても良い。図１４では、商品情報Ｄ１を含んで表示される画像部分Ｐ１と、商品情報Ｄ２を含んで表示される画像部分Ｐ２との間に位置する仕切り線Ｌ１が右方向に移動（ドラッグ）され、これにより、画像部分Ｐ１を表示する領域が大きくなり、画像部分Ｐ２を表示する領域が狭くなるように棚札画像が編集された場合を例示している。
【００６５】
また、本実施形態では、表示装置１０にて棚札画像が編集される場合について説明したが、例えば、携帯端末２０がスマートフォンやタブレット端末であり、携帯端末２０上で行われる従業員の操作に応じてサーバ装置４０で棚札画像が編集されるとしても良い。この場合、棚札画像を編集する処理はサーバ装置４０で行われるものの、従業員は現場にて携帯端末２０を操作すれば良いため、従業員は棚札画像を現場で容易に変更することができる。この場合の構成を図１５に示す。
【００６６】
図１５は、表示装置１０ではなくサーバ装置４０で棚札画像が編集される場合の電子棚札システムの構成例を示すブロック図である。  
図１５に示す表示装置１０は、図１に示した場合と異なり、タッチパネルを備えた装置でなく、単に棚札画像をディスプレイに表示可能な装置であれば良い。表示装置１０は、ディスプレイに表示している棚札画像の画像データを記憶する記憶装置を備えている。  
携帯端末２０は、スマートフォンやタブレット端末等、タッチパネルを備えた装置であり、表示装置１０と有線または無線にて通信可能に接続される。また、携帯端末２０は、通信端末３０を介して無線にてサーバ装置４０と通信可能に接続される。  
サーバ装置４０は、上記したジェスチャ検出部１０２及び画像編集処理部１０３と同様な機能を有した処理部を備えている。また、サーバ装置４０は、表示装置１０に表示されている棚札画像の画像データを記憶する記憶装置（第２記憶装置）を備えている。
【００６７】
ここで、図１６のフローチャートを参照して、図１５に示す電子棚札システムによって実現される処理の手順の一例について説明する。  
まず、携帯端末２０は、有線または無線にて表示装置１０と接続し、表示装置１０に現在表示されている棚札画像の画像データを取得する（ステップＳ２１）。なお、表示装置１０に棚札画像の画像データを記憶する記憶装置が設けられない場合、携帯端末２０は、当該画像データをサーバ装置４０から取得する。
【００６８】
取得された画像データにより示される棚札画像は、携帯端末２０のディスプレイ上に表示される。従業員は、ディスプレイ上の棚札画像に対して、編集作業を行う。  
これに対し、携帯端末２０は、タッチパネルによって検出されたオブジェクトの接触位置を示す位置情報を生成し、これをサーバ装置４０に送信する（ステップＳ２２、Ｓ２３）。
【００６９】
サーバ装置４０は、携帯端末２０から送信される位置情報を受信し（ステップＳ２４）、受信した位置情報に基づき、従業員のジェスチャを検出する（ステップＳ２５）。  
サーバ装置４０は、第２記憶装置に記憶される棚札画像の画像データに対し、検出された従業員のジェスチャに対応した画像編集処理を実行する（ステップＳ２６）。
【００７０】
しかる後、サーバ装置４０は、編集後の画像データを携帯端末２０に送信する。編集後の画像データは、携帯端末２０により表示装置１０にさらに送信される（ステップＳ２７）。これによれば、表示装置１０には、編集後の画像データにより示される棚札画像が表示される。
なお、ここでは、携帯端末２０から位置情報を得たサーバ装置４０が画像編集処理を実行し、編集後の画像データを携帯端末２０に送信して、棚札画像を更新する場合について説明したが、これに限定されず、携帯端末２０において画像編集処理までを実行するとしても良い。この場合、携帯端末２０は、上記したステップＳ２２の処理において位置情報を生成すると、当該生成した位置情報に基づき従業員のジェスチャを検出し、当該検出した従業員のジェスチャに対応した画像編集処理を実行する。編集後の画像データは棚札画像を更新するために表示装置１０に送信されると共に、第２記憶装置に記憶された画像データの書き換えのためにサーバ装置４０にも送信される。
なお、上記したように、携帯端末２０において画像編集処理を実行する場合、従業員は、タッチパネルを用いた操作だけでなく、携帯端末２０に対応した入力インタフェース（例えばキーボードやマウス等）を用いた操作により、画像編集処理を実行しても良い。
【００７１】
以上説明したように、本実施形態によれば、現場で容易に棚札画像を変更可能な表示装置及び電子棚札システムを提供することができる。
【００７２】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。例えば、本実施形態は横長の１枚の表示装置１０を設けた構成を採用しているが、複数の表示装置を横につなげて上記表示装置と同じような横長とする構成を採用することも可能である。この場合、タッチパネルについては、各表示装置に個別に設ける構成も採用可能であるし、複数の表示装置を繋げたものに１枚のタッチパネルを搭載する構成も採用可能である。
【符号の説明】
【００７３】
１０…表示装置、１１…バス、１２…不揮発性メモリ、１３…ＣＰＵ、１４…メインメモリ、１５…通信部、１６…表示部、１６Ａ…パネルディスプレイ、１６Ｂ…タッチパネル、１７…電源、１８…コネクタ、２０…携帯端末、３０…通信端末、４０…サーバ装置、１０１…端末接続検出部、１０２…ジェスチャ検出部、１０３…画像編集処理部、１０４…表示処理部。
【図１】
2019109581.tif 000003
【図２】
2019109581.tif 000004
【図３】
2019109581.tif 000005
【図４】
2019109581.tif 000006
【図５】
2019109581.tif 000007
【図６】
2019109581.tif 000008
【図７】
2019109581.tif 000009
【図８】
2019109581.tif 000010
【図９】
2019109581.tif 000011
【図１０】
2019109581.tif 000012
【図１１】
2019109581.tif 000013
【図１２】
2019109581.tif 000014
【図１３】
2019109581.tif 000015
【図１４】
2019109581.tif 000016
【図１５】
2019109581.tif 000017
【図１６】
2019109581.tif 000018